(57)【要約】【課題】ターミナルを集約して簡素化し、コストを低減することができる電動モータを提供することを課題とする。【解決手段】アウトサートターミナル９０ａは、２本のピッグテール７６ａがスポット溶接される平場状のピッグテール溶接部９１と、このピッグテール溶接部９１の一端９２から立ち上げられに示す端子線８３ａを結線する端子結線部９３と、ピッグテール溶接部９１の他端９４から片方の面７８に向けて折り曲げられブラシホルダ６０に差し込む差し込み部９５とを備える。【効果】アウトサートターミナルには、チョークコイルから延びる端子線を結線する端子結線部と、ピッグテールの一端を溶接する平場状のピッグテール溶接部とが近接して設けられているので、チョークコイルとピッグテールを１つのターミナルで接続することができる。結果、ターミナルを集約して簡素化し、コストを低減することができる。【選択図】図４
2014158360.tif 000002
【特許請求の範囲】
【請求項１】
チョークコイルで安定化された電流がアウトサートターミナル及びこのアウトサートターミナルから延びるピッグテールを介してブラシへ給電され、このブラシから整流子を介してロータに給電される電動モータであって、
前記アウトサートターミナルは、前記ブラシを保持するブラシホルダの片方の面に露出する形態で取付けられ、前記アウトサートターミナルには、前記チョークコイルから延びる端子線を結線する端子結線部と、前記ピッグテールの一端を溶接する平場状のピッグテール溶接部とが近接して設けられていることを特徴とする電動モータ。
【請求項２】
請求項１記載の電動モータにおいて、
前記アウトサートターミナルは、同極の前記ブラシの間に挟まれて配置されていることを特徴とする電動モータ。
【請求項３】
請求項２記載の電動モータにおいて、
前記ピッグテール溶接部には、複数の前記ピッグテールが接続されていることを特徴とする電動モータ。
【請求項４】
請求項１〜３のいずれか１項記載の電動モータにおいて、
前記アウトサートターミナルは、前記ブラシホルダに差し込む差し込み部と、この差し込み部に設けられ抜けを防ぐ返し部とを備え、
前記差し込み部を差し込むことで前記ブラシホルダに前記アウトサートターミナルを取付けるようにしたことを特徴とする電動モータ。
【請求項５】
請求項１〜３のいずれか１項記載の電動モータにおいて、
前記ブラシホルダの前記片方の面からピンが立設され、
前記ピッグテール溶接部に、前記ピンが貫通する穴及びこの穴の縁から穴の中心へ延びる係止片が設けられ、
前記ピンに前記係止片が噛み込むことで前記ブラシホルダに前記アウトサートターミナルを取付けるようにしたことを特徴とする電動モータ。
【発明の詳細な説明】
【技術分野】
【０００１】
本発明は、電動モータ、具体的には、電源端子の接続部の改良が改良された電動モータに関する。
【背景技術】
【０００２】
ブラシと整流子とにより給電する電動モータが広く採用されている。ブラシはブラシホルダで支持される（例えば、特許文献１（図３）参照。）。
【０００３】
この特許文献１の技術を図面に基づいて以下に説明する。
図８は従来のブラシホルダの基本構成を説明する図であり、ブラシホルダ２００にチョークコイル２０１、２０２が設けられており、このチョークコイル２０１、２０２で安定化された電流が端子線２０３、２０４からターミナル２０５、２０６に流れる。ターミナル２０５への電流は、ターミナル２０５から離れたターミナル２０７及びターミナル２０８に流れる。ターミナル２０６への電流は、ターミナル２０６から離れたターミナル２０９及びターミナル２１０に流れる。
【０００４】
ターミナル２０７への電流は、ピッグテール２１１を介してブラシ２１２に給電される。ターミナル２０８への電流は、ピッグテール２１３を介してブラシ２１４に給電される。ターミナル２０９への電流は、ピッグテール２１５を介してブラシ２１６に給電される。
ターミナル２１０への電流は、ピッグテール２１７を介してブラシ２１８に給電される。
【０００５】
しかし、チョークコイル２０１、２０２と、ピッグテール２１１、２１３、２１５、２１７とを、別々のターミナル２０５、２０６、２０７、２０８、２０９、２１０に接続すると、複数のターミナルが必要になる。このため、ターミナルのコストが高くなり、レイアウトも困難になる。
【０００６】
すなわち、ターミナルを集約して簡素化し、コストを低減することができる電動モータが求められている。
【先行技術文献】
【特許文献】
【０００７】
【特許文献１】特開２００９−５５１０公報
【発明の概要】
【発明が解決しようとする課題】
【０００８】
本発明は、ターミナルを集約して簡素化し、コストを低減することができる電動モータを提供することを課題とする。
【課題を解決するための手段】
【０００９】
請求項１に係る発明は、チョークコイルで安定化された電流がアウトサートターミナル及びこのアウトサートターミナルから延びるピッグテールを介してブラシへ給電され、このブラシから整流子を介してロータに給電される電動モータであって、
前記アウトサートターミナルは、前記ブラシを保持するブラシホルダの片方の面に露出する形態で取付けられ、前記アウトサートターミナルには、前記チョークコイルから延びる端子線を結線する端子結線部と、前記ピッグテールの一端を溶接する平場状のピッグテール溶接部とが近接して設けられていることを特徴とする。
【００１０】
請求項２に係る発明では、アウトサートターミナルは、同極のブラシの間に挟まれて配置されていることを特徴とする。
【００１１】
請求項３に係る発明では、ピッグテール溶接部には、複数のピッグテールが接続されていることを特徴とする。
【００１２】
請求項４に係る発明では、アウトサートターミナルは、ブラシホルダに差し込む差し込み部と、この差し込み部に設けられ抜けを防ぐ返し部とを備え、差し込み部を差し込むことでブラシホルダにアウトサートターミナルを取付けるようにしたことを特徴とする。
【００１３】
請求項５に係る発明では、ブラシホルダの片方の面からピンが立設され、ピッグテール溶接部に、ピンが貫通する穴及びこの穴の縁から穴の中心へ延びる係止片が設けられ、ピンに係止片が噛み込むことでブラシホルダにアウトサートターミナルを取付けるようにしたことを特徴とする。
【発明の効果】
【００１４】
請求項１に係る発明では、アウトサートターミナルは、ブラシを保持するブラシホルダの片方の面に露出する形態で取付けられる。アウトサートターミナルには、チョークコイルから延びる端子線を結線する端子結線部と、ピッグテールの一端を溶接する平場状のピッグテール溶接部とが近接して設けられているので、チョークコイルとピッグテールを１つのターミナルで接続することができる。結果、ターミナルを集約して簡素化し、コストを低減することができる。
【００１５】
加えて、ターミナルの数が少ないので、ターミナルのレイアウト性も向上し、組立工数も短くすることができる。更に加えて、端子結線部によりチョークコイルの端子線を結線でき、平場状のピッグテール溶接部にピッグテールを容易に溶接できるので、アウトサートターミナルへのチョークコイル及びピッグテールの接続が容易になる。
【００１６】
請求項２に係る発明では、アウトサートターミナルは、同極のブラシの間に挟まれて配置されている。アウトサートターミナルからブラシまでの距離が近いので、ブラシを仰ぐようなターミナルの構成にする必要がなくなり、アウトサートターミナルを小型化且つ簡素化できる。
【００１７】
請求項３に係る発明では、ピッグテール溶接部には、複数のピッグテールが接続されている。１つのアウトサートターミナルから複数のブラシに給電できるので、チョークコイルと接続するターミナルの数を減らしてまとめることができる。
【００１８】
請求項４に係る発明では、アウトサートターミナルは、ブラシホルダに差し込む差し込み部と、この差し込み部に設けられ抜けを防ぐ返し部とを備える。返し部があるので、アウトサートターミナルがブラシホルダから抜けるのを防止することができる。加えて、差し込み部をブラシホルダに差し込むので、ブラシホルダの面からのアウトサートターミナルの出っ張りを少なくでき、省スペース化を図ることができる。
【００１９】
請求項５に係る発明では、ブラシホルダの片方の面からピンが立設され、ピッグテール溶接部に、ピンが貫通する穴及びこの穴の縁から穴の中心へ延びる係止片が設けられる。ピンに係止片が噛み込むので、アウトサートターミナルがブラシホルダから外れるのを防止することができる。加えて、アウトサートターミナルを差し込む必要がないので、ブラシホルダの厚みを抑えることができる。更に加えて、ブラシホルダの片方の面からピンを立設するだけであるので、レイアウトの自由度が高くなる。
【図面の簡単な説明】
【００２０】
【図１】本発明に係る電動モータを使用した車両用ブレーキ液圧制御装置の分解斜視図である。
【図２】本発明に係る電動モータを使用した車両用ブレーキ液圧制御装置の側断面図である。
【図３】本発明に係るブラシホルダの正面図である。
【図４】アウトサートターミナルの斜視図である。
【図５】図４の５−５線断面図である。
【図６】図４の別態様に係るアウトサートターミナルの斜視図である。
【図７】図６の７−７線断面図である。
【図８】従来のブラシホルダの基本構成を説明する図である。
【発明を実施するための形態】
【００２１】
本発明の実施の形態を添付図に基づいて以下に説明する。なお、図面は符号の向きに見るものとする。
【実施例】
【００２２】
先ず、本発明の実施例を図面に基づいて説明する。
図１に示すように、車両用ブレーキ液圧制御装置１０は、基体２０と、この基体２０の一端部２１に取り付けられるコントロールハウジング３０と、基体２０の他端部２２に取り付けられる電動モータ４０とからなる。
【００２３】
基体２０は、側部２３に設けられ電動モータ４０を動力源として作動する往復動ポンプ２４と、一端部２１に設けられる常開型の電磁弁２５と、一端部２１に設けられる常閉型の電磁弁２６と、一端部２１に設けられる圧力センサ２７と、側部２８に設けられるリザーバ２９とを備える。
【００２４】
次に電動モータについて説明する。
図２に示すように、電動モータ４０は、有底筒状のモータケース４１と、このモータケース４１の周壁部４２に固定されるステータ４３と、モータケース４１に回転可能に支持されるロータ５１と、モータケース４１の開口部４４に装着されるブラシホルダ６０とを備える。
【００２５】
ステータ４３は、周壁部４２に固定される永久磁石である。ロータ５１は、モータケース４１の底部４５にベアリング４６を介して回転可能に支持される回転軸５２と、この回転軸５２に設けられる複数のコア５３と、これらのコア５３に巻かれる巻線部５４と、回転軸５２に設けられる整流子５５とからなる。
【００２６】
回転軸５２の先端側は、ブラシホルダ６０に設けられたベアリング６１に回転可能に支持される。さらに回転軸５２の先端は、偏心した偏心軸部５６を有し、この偏心軸部５６にポンプ用ベアリング５７が設けられている。このポンプ用ベアリング５７が図１に示した往復動ポンプ２４のプランジャに当接することで、偏心カムの作用により往復動ポンプ２４のプランジャが往復運動する。
【００２７】
ブラシホルダ６０は、整流子５５を取り囲むように形成された円盤部６２を有し、この円盤部６２から棒状の給電部６３が突出している。この給電部６３は、基体２０の貫通孔３１を貫通し、給電部６３の内部に設けられる給電路６４ａが、コントロールハウジング３０の接続端子３２に接続されている。
【００２８】
また、ブラシホルダ６０は、モータケース４１の周壁部４２側に開口した挿入口６５を有するブラシ収納部６６が設けられる。このブラシ収納部６６にブラシ６７が移動可能に収納される。このブラシ６７ａは、ブラシスプリング６８により整流子５５に付勢され、ブラシ６７の先端面が整流子５５の外周面に接触する。ブラシ収納部６６の挿入口６５には、ストッパ６９が設けられ、このストッパ６９によりブラシスプリング６８は外周方向への移動が規制される。ブラシホルダ６０は、開口部４４に嵌め込まれることで、モータケース４１に固定される。
【００２９】
なお、基体２０とモータケース４２との間はシール部材１１によりシールされ、基体２０とコントロールハウジング３０との間はシール部材１２によりシールされている。
【００３０】
次にブラシホルダについて説明する。
図３に示すように、ブラシホルダ６０の中心には、開口したブラシ開口部７１が設けられている。ブラシホルダ６０は、中心から放射状に４個のブラシ収納部６６が設けられる。
【００３１】
ブラシ収納部６６は、外端部７２に設けられ挿入口６５から周壁部（図２、符号４４）側に突出する係止爪７３と、上面７４に設けられブラシ開口部７１側から切り欠かれた覗き用切り欠き部７５とを有する。プラス極側のブラシ６７ａ及びマイナス極側のブラシ６７ｂ（ａはプラス極側を示す添え字。ｂはマイナス極側を示す添え字。以下同じ。）は摩耗することで短くなるが、覗き用切り欠き部７５により、ブラシ６７ａ、６７ｂの長さを確認することができる。
【００３２】
ブラシ６７ａ、６７ｂの後端付近に給電用のピッグテール７６ａ、７６ｂの一端が接続されている。ブラシ６７ａ、６７ｂを挿入口６５からブラシ収納部６６に挿入し、ブラシスプリング６８を挿入口６５からブラシ収納部６６に挿入する。さらに、ブラシスプリング６８を保持するためのストッパ６９を挿入口６５に係止することで、ブラシスプリング６８によりブラシ６７ａ、６７ｂを整流子（図２、符号５５）へ付勢することができる。
【００３３】
また、給電部６３内に配置された給電路６４ａ、６４ｂは、配電路７７ａ、７７ｂの一端に一体的に接続される。配電路７７ａ、７７ｂの他端は、ブラシホルダ６０の図裏側から図表側の面７８（以下、片方の面７８という。）に突出し、ターミナル７９ａ、７９ｂを形成する。ブラシホルダ６０は、２つのチョークコイル８１ａ、８１ｂを備え、このチョークコイル８１から延びる一方の端子線８２ａ、８２ｂが、配電路７７の他端に形成されたターミナル７９ａ、７９ｂに接続される。チョークコイル８１ａ、８１ｂから延びる他方の端子線８３ａ、８３ｂは、ブラシホルダ６０に設けられたアウトサートターミナル９０ａ、９０ｂに接続される。アウトサートターミナル９０ａ、９０ｂに、ピッグテール７６ａ、７６ｂの他端が接続される。結果、給電路６４からブラシ６７ａ、６７ｂに給電される。
【００３４】
次にアウトサートターミナル９０ａについて説明する。なお、図４〜図７についてはプラス極側とマイナス極側のうち、便宜上、プラス極側で説明するが、マイナス極側も同様である。
図４（ａ）に示すように、アウトサートターミナル９０ａは、２本のピッグテール７６ａがスポット溶接される平場状のピッグテール溶接部９１と、このピッグテール溶接部９１の一端９２から立ち上げられ（ｂ）に示す端子線８３ａを結線する端子結線部９３と、ピッグテール溶接部９１の他端９４から片方の面７８に向けて折り曲げられブラシホルダ６０に差し込む差し込み部９５とを備える。
【００３５】
平場状のピッグテール溶接部９１には、２本のピッグテール７６ａが１箇所にスポット溶接されている。なお、ピッグテール溶接部に溶接されるピッグテール７６ａは、実施例では、２本にしたが、これに限定されず、１本、３本、４本など、単数であっても複数であっても差し支えない。また、実施例では、複数のピッグテール７６ａを１箇所に溶接したが、これに限定されず、平場状のピッグテール溶接部９１上であれば、複数のピッグテール７６ａを別々の位置に溶接しても差し支えない。
【００３６】
端子結線部９３は、溝形状を呈しており、スリット９６と、このスリット９６の上部に形成され端子線８３を挟み込んで保持する保持部９７と、この保持部９７の上部に設けられ端子線８３ａを保持部９７にガイドする傾斜状のガイド部９８とからなる。
【００３７】
ブラシホルダ６０には、差し込み部９５が差し込まれる差し込み穴８４が設けられている。差し込み部９５は、差し込み穴８４に差し込まれる本体部１０１と、この本体部１０１に側方へ突出するように設けられる返し部１０２とを備える。
【００３８】
アウトサートターミナル９０ａのブラシホルダ６０への取付は、アウトサートターミナル９０ａを矢印（１）のように移動させ、差し込み部９５を差し込み穴８４に差し込む。
【００３９】
図４（ｂ）に示すように、返し部１０２が差し込み穴８４に埋め込まれた状態になる。端子結線部９３に、端子線８３ａを結線することで、端子線８３ａからアウトサートターミナル９０ａを介してピッグテール７６ａに給電される。端子結線部９３とピッグテール溶接部９１とは近接して設けられているので、アウトサートターミナル９０ａを小型にでき、取り扱いが容易になる。加えて、ブラシホルダ６０にアウトサートターミナル９０ａを組み付ける前に、ピッグテール７６をアウトサートターミナル９０ａに溶接するので、溶接時の熱がブラシホルダ６０に伝わる心配がない。結果、アウトサートターミナル９０ａの組み付け性も向上する。
【００４０】
図３に戻って、ブラシホルダ６０に設けられるブラシ６７ａ、６７ｂは、図右側の２個のプラス極側のブラシ６７ａ、６７ａと、図左側の２個のマイナス極側のブラシ６７ｂ、６７ｂとが、それぞれ同極である。２個のアウトサートターミナル９０ａ、９０ｂは、それぞれ同極のブラシ６７ａ、６７ａ、６７ｂ、６７ｂの間に挟まれて配置される。このため、１個のアウトサートターミナル９０ａ、９０ｂに接続されるそれぞれの極の２本のピッグテール７６ａ、７６ａ、７６ｂ、７６ｂの長さを、２本とも短く設定することができる。加えて、プラス極側のアウトサートターミナル９０ａに対してプラス極側のブラシ６７ａ、６７ａまでの距離が、マイナス極側のアウトサートターミナル９０ｂに対してマイナス極側のブラシ６７ｂ、６７ｂまでの距離がそれぞれ近いので、他の極のブラシ６７ａ、６７ｂを仰ぐようなターミナルの構成にする必要がなくなり、アウトサートターミナル９０ａ、９０ｂを小型化且つ簡素化できる。このようなアウトサートターミナル９０ａ、９０ｂを採用することで、ターミナルを集約して簡素化し、コストを低減することができる。
【００４１】
次にアウトサートターミナルがブラシホルダに差し込まれた状態について説明する。
図５に示すように、アウトサートターミナル９０ａをブラシホルダ６０に差し込んだ状態において、平場状のピッグテール溶接部９１の裏面１０３が、ブラシホルダ６０の片方の面７８に接している。
【００４２】
差し込み部９５は差し込み穴８４に差し込まれており、返し部１０２は片方の面７８よりもブラシホルダ６０内部に埋め込まれた位置にある。差し込み穴８４の幅は、Ｌ１である。返し部１０２の外端間の幅は、Ｌ２である。Ｌ１＜Ｌ２であり、ブラシホルダ６０は樹脂製であるので、返し部１０２は差し込み穴８４に食い込む。結果、アウトサートターミナル９０ａは、ブラシホルダ６０から抜け難くなる。
【００４３】
なお、実施例では、アウトサートターミナル９０ａは２個の差し込み部９５を備えるが、これに限定されず、１個、３個等、単数又は複数の差し込み部９５を備えても差し支えない。また、裏面１０３と片方の面７８とは接触しているが、返し部１０２が差し込み穴８４に食い込む位置まで差し込み部９５が差し込まれていれば、裏面１０３と片方の面７８が離れていても差し支えない。
【００４４】
次に図４の別態様について説明する。なお、図４に示した構成と同一構成については同一符号を付け、詳細説明は省略する。
図６（ａ）に示すように、ブラシホルダ６０は、片方の面７８にピン８５が立設されている。アウトサートターミナル９０ａは、平場状のピッグテール溶接部９１にピン８５が貫通する矩形状の長い穴１０４が設けられている。この穴１０４の縁１０５から、穴１０４の中心へ向けて２つの係止片１０６が延びている。２つの係止片１０６は、互いに向かい合うように設けられており、係止片１０６の先端は、若干離れている。別態様のアウトサートターミナル９０ａは、平場状のピッグテール溶接部９１から折れ曲がっている部分は、端子結線部９３だけであるので、加工が容易である。
【００４５】
アウトサートターミナル９０ａのブラシホルダ６０への取付は、アウトサートターミナル９０ａを矢印（２）のように移動させ、ピン８５を穴１０４に貫通させる。
【００４６】
次に別態様のアウトサートターミナルがブラシホルダに差し込まれた状態について説明する。なお、図５に示した構成と同一構成については同一符号を付け、詳細説明は省略する。
図７に示すように、アウトサートターミナル９０ａの穴１０４に、ピン８５が貫通している。互いに向かい合う係止片１０６の先端間の距離より、ピン８５の外径が大きい。またブラシホルダ６０は樹脂製であるので、ピン８５に２つの係止片１０６の先端が噛み込む。結果、アウトサートターミナル９０ａは、ブラシホルダ６０から抜け難くなる。
【００４７】
なお、実施例では、穴１０４を矩形状の長い穴１０４としたが、これに限定されず、円形など、ピン８５が貫通する大きさであれば他の形状であっても差し支えない。また、係止片１０６は、３つ、４つ等、互いに向かいあって、ピン８５に噛み込むことができれば、複数あっても差し支えない。
【００４８】
尚、実施の形態では、本発明に係る電動モータを車両用ブレーキ液圧制御装置に使用したが、これに限定されず、電動モータを他の装置に使用しても差し支えない。また、プラス極側とマイナス極側が逆に構成されていても差し支えない。
【産業上の利用可能性】
【００４９】
本発明の電動モータは、車両用ブレーキ液圧制御装置を作動させるための電動モータに好適である。
【符号の説明】
【００５０】
１０…車両用ブレーキ液圧制御装置、４０…電動モータ、５１…ロータ、５５…整流子、６０…ブラシホルダ、６７ａ、６７ｂ…ブラシ、７６ａ、７６ｂ…ピッグテール、７８…片方の面、８１ａ、８１ｂ…チョークコイル、８３ａ、８３ｂ…端子線、８５…ピン、９０ａ、９０ｂ…アウトサートターミナル、９１…ピッグテール溶接部、９３…端子結線部、９５…差し込み部、１０２…返し部、１０４…穴、１０５…穴の縁、１０６…係止片。
【図１】
2014158360.tif 000003
【図２】
2014158360.tif 000004
【図３】
2014158360.tif 000005
【図４】
2014158360.tif 000006
【図５】
2014158360.tif 000007
【図６】
2014158360.tif 000008
【図７】
2014158360.tif 000009
【図８】
2014158360.tif 000010